(57)【要約】      （修正有）【課題】自撮り棒の見映えを改善する。【解決手段】自撮り装置は、携帯電話を挟持する挟持機構１０と、伸縮棒と、伸縮棒に外挿するハンドル３０と、ワイヤレスコントローラ４０とを備える。挟持機構は、上挟持部と、伸縮棒の頂端に設置される下挟持部と、上挟持部及び下挟持部にそれぞれ接続され、上挟持部に対して復元力を付与する弾性引張り部とを備え、ハンドル内に、ワイヤレスコントローラを収納するための収納チャンバが設けられている。ワイヤレスコントローラを使用しない場合、ワイヤレスコントローラを上挟持部と下挟持部との間に挟持可能であり、伸縮棒を収縮させることで、下挟持部、弾性引張り部及びワイヤレスコントローラを収納チャンバ内に収納することができる。【選択図】図６
2020190707.tif 000002
【特許請求の範囲】
【請求項１】
携帯電話を挟持する挟持機構と、伸縮棒と、前記伸縮棒に外挿するハンドルと、ワイヤレスコントローラと、を備え、前記挟持機構は、上挟持部と、前記伸縮棒の頂端に設置される下挟持部と、前記上挟持部及び前記下挟持部のそれぞれに接続され、前記上挟持部に対して復元力を付与する弾性引張り部と、を備える自撮り装置であって、
前記ハンドル内に、前記ワイヤレスコントローラを収納するための収納チャンバが設けられ、前記ワイヤレスコントローラが、取外し可能に前記上挟持部と前記下挟持部との間に挟設され、前記伸縮棒を収縮させることで、前記下挟持部、前記弾性引張り部及び前記ワイヤレスコントローラが前記収納チャンバ内に収納されるようにすることを特徴とする自撮り装置。
【請求項２】
前記下挟持部が、接続板を介して前記伸縮棒の頂端に取り付けられ、前記接続板の基端が、回転可能に前記伸縮棒の頂端に取り付けられ、前記弾性引張り部が、回転可能に前記接続板に取り付けられていることを特徴とする請求項１に記載の自撮り装置。
【請求項３】
前記接続板が、第１軸を介して回転可能に前記伸縮棒の頂端に取り付けられ、前記弾性引張り部が、第２軸を介して回転可能に前記接続板に取り付けられ、前記第１軸と前記第２軸とは、互いに垂直となることを特徴とする請求項２に記載の自撮り装置。
【請求項４】
さらに、支持を目的とする３つの支持脚を備え、前記３つの支持脚が、いずれも回転可能にハンドルに取り付けられ、収合によって前記伸縮棒を収納するための収納スペースが形成されることを特徴とする請求項１に記載の自撮り装置。
【請求項５】
さらに、ハンドル内に収納され前記ハンドルの底面から伸出することが可能な３つの支持棒と、接続リングと、を備え、前記支持棒が、前記接続リングに回転可能に取り付けられ、前記接続リングは、前記伸縮棒に外挿され、前記伸縮棒の軸方向に沿って摺動可能であり、前記支持棒で自撮り装置を支持するとき、前記ハンドルの底面が前記支持棒に当接することを特徴とする請求項１に記載の自撮り装置。
【請求項６】
前記ハンドルの底部に取付ブロックが設置され、前記取付ブロックにボタンが設けられ、前記ボタンに３つの係合ピンが設けられ、各前記支持棒の基端に前記係合ピンと対応する係合溝が設けられ、前記支持棒が前記ハンドル内に収納されるとき、前記係合ピンが係合溝と係合することを特徴とする請求項５に記載の自撮り装置。
【請求項７】
前記ワイヤレスコントローラは、ケースを備え、前記ケース内に、電池、プリント基板及び磁石が設置され、前記ケースにさらに自撮りボタンが設けられ、前記自撮りボタンと前記電池とはそれぞれ前記プリント基板と電気接続されていることを特徴とする請求項１乃至請求項６のいずれか１つに記載の自撮り装置。
【請求項８】
前記ケースは、互いに対応する上ケースと下ケースを備え、前記下ケースに前記電池を収納するための第１溝が設けられていることを特徴とする請求項７に記載の自撮り装置。
【請求項９】
前記下ケースに、磁石を収納するための第２溝がさらに設けられていることを特徴とする請求項８に記載の自撮り装置。
【請求項１０】
前記ケースの前記ハンドルと接触する面が円弧状に形成され、該円弧状の弧度が前記ハンドルの外面の弧度と対応することを特徴とする請求項７に記載の自撮り装置。
【発明の詳細な説明】
【技術分野】
【０００１】
本発明は、自撮り設備の技術分野に関し、特に自撮り装置に関する。
【背景技術】
【０００２】
現在、自撮り棒は、携帯電話の自撮りによく用いられている。自撮り棒は、一定の長さの範囲内で伸縮することができるので、携帯電話又はカメラを伸縮棒に固定し、コントローラで制御することによって、多角度の自撮りを実現することができる。
【０００３】
市販される大部分の自撮り棒は、ハンドルにつけられたボタンを利用して自撮りを制御し、又はワイヤレスコントローラを利用して自撮りを遠距離制御する。通常のワイヤレスコントローラはハンドルの側面に取り付けられるので、非常に目立ち、自撮り棒全体の見栄えに多大に影響する。このため、従来技術には、未だ改良及び発展の余地がある。
【発明の概要】
【発明が解決しようとする課題】
【０００４】
本発明は、外観がすっきりして見え、使いやすい自撮り装置を提供することを目的とする。
【課題を解決するための手段】
【０００５】
本発明の課題を解決するための技術案は、自撮り装置を提供し、該自撮り装置は、携帯電話を挟持する挟持機構と、伸縮棒と、伸縮棒に外挿するハンドルと、ワイヤレスコントローラと、を備え、前記挟持機構は、上挟持部と、伸縮棒の頂端に設置される下挟持部と、上挟持部及び下挟持部のそれぞれに接続され、上挟持部に対して復元力を付与する弾性引張り部と、を備え、前記ハンドル内に、ワイヤレスコントローラを収納するための収納チャンバが設けられ、前記ワイヤレスコントローラが、取外し可能に上挟持部と下挟持部との間に挟設され、伸縮棒を収縮させることで、前記下挟持部、弾性引張り部及びワイヤレスコントローラが収納チャンバ内に収納されるようにする。
【０００６】
さらに、前記下挟持部が、接続板を介して伸縮棒の頂端に取り付けられ、前記接続板の基端が、回転可能に伸縮棒の頂端に取り付けられ、前記弾性引張り部が、回転可能に接続板に取り付けられている。
【０００７】
さらに、前記接続板が、第１軸を介して回転可能に伸縮棒の頂端に取り付けられ、前記弾性引張り部が、第２軸を介して回転可能に接続板に取り付けられ、前記第１軸と第２軸とは、互いに垂直となる。
【０００８】
さらに、前記自撮り装置は、支持を目的とする３つの支持脚をさらに備え、前記３つの支持脚が、いずれも回転可能にハンドルに取り付けられ、収合によって伸縮棒を収納するための収納スペースが形成される。
【０００９】
さらに、前記自撮り装置は、ハンドル内に収納されハンドルの底面から伸出することが可能な３つの支持棒と、接続リングと、をさらに備え、前記支持棒が、接続リングに回転可能に取り付けられ、前記接続リングは、前記伸縮棒に外挿され、伸縮棒の軸方向に沿って摺動可能であり、支持棒で自撮り装置を支持するとき、前記ハンドルの底面が支持棒に当接する。
【００１０】
さらに、前記ハンドルの底部に取付ブロックが設置され、前記取付ブロックにボタンが設けられ、前記ボタンに３つの係合ピンが設けられ、各前記支持棒の基端に係合ピンと対応する係合溝が設けられ、支持棒がハンドル内に収納されるとき、係合ピンが係合溝と係合する。
【００１１】
さらに、前記ワイヤレスコントローラは、ケースを備え、前記ケース内に、電池、プリント基板及び磁石が設置され、前記ケースにさらに自撮りボタンが設けられ、前記自撮りボタンと電池とはそれぞれプリント基板と電気接続されている。
【００１２】
さらに、前記ケースは、互いに対応する上ケースと下ケースを備え、前記下ケースに電池を収納するための第１溝が設けられている。
【００１３】
さらに、前記下ケースに、磁石を収納するための第２溝がさらに設けられている。
【００１４】
さらに、前記ケースのハンドルと接触する面が円弧状に形成され、該円弧状の弧度が前記ハンドルの外面の弧度と対応する。
【００１５】
従来技術に対して、本発明に係る自撮り装置は、ハンドル内にワイヤレスコントローラを収納するための収納チャンバが設けられているので、ワイヤレスコントローラを使用しない場合、ワイヤレスコントローラを上挟持部と下挟持部との間で挟設することが可能になり、伸縮棒を収縮させることで、前記下挟持部、弾性引張り部及びワイヤレスコントローラを収納チャンバ内に収納することができる。つまり、ハンドルの側面に設置する代わりに、ワイヤレスコントローラをハンドル内に収納させることで、自撮り装置の径方向寸法を縮小でき、自撮り装置がよりすっきりして、使用及び携帯に便利になった。
【００１６】
以下、図面及び実施例を参照しながら本発明をより詳しく説明する。
【図面の簡単な説明】
【００１７】
【図１】本発明に係る自撮り装置の斜視模式図である。
【図２】挟持機構で図１におけるワイヤレスコントローラを挟持する斜視模式図である。
【図３】ワイヤレスコントローラがハンドル内に収容された状態を示す断面模式図である。
【図４】図１におけるワイヤレスコントローラの分解模式図である。
【図５】図１におけるワイヤレスコントローラの平面模式図である。
【図６】図１におけるワイヤレスコントローラがハンドルの側面に吸着された状態を示す斜視模式図である。
【図７】本発明に係るその他の実施例の自撮り装置の斜視模式図である。
【図８】図７における支持脚の分解模式図である。
【図９】図７におけるハンドルの底部の断面模式図である。
【発明を実施するための形態】
【００１８】
以下、図面を参照しながら本発明の好ましい実施例を詳しく説明する。
【００１９】
図１乃至図３に示すように、本発明に係る自撮り装置は、携帯電話を挟持するための挟持機構１０と、伸縮棒２０と、伸縮棒２０に外挿するハンドル３０と、ワイヤレスコントローラ４０と、を備えている。挟持機構１０は、上挟持部１１と、伸縮棒２０の頂端に設置される下挟持部１２と、上挟持部１１及び下挟持部１２とそれぞれ接続され、上挟持部１１に対して復元力を付与する弾性引張り部１３と、を備えている。ハンドル３０内に、ワイヤレスコントローラ４０を収納するための収納チャンバ３１が設けられ、ワイヤレスコントローラ４０が上挟持部１１と下挟持部１２との間に、取外し可能に挟設されている。伸縮棒２０を収縮させることで、下挟持部１２、弾性引張り部１３及びワイヤレスコントローラ４０が収納チャンバ３１内に収納されるようにする。
【００２０】
ハンドル３０内にワイヤレスコントローラ４０を収納するための収納チャンバ３１が設けられているので、ワイヤレスコントローラ４０を使用しない場合、ワイヤレスコントローラ４０を上挟持部１１と下挟持部１２との間に挟設することが可能になり、さらに伸縮棒２０を収縮させることで、下挟持部１２、弾性引張り部１３及びワイヤレスコントローラ４０を収納チャンバ３１内に収納することができる。つまり、ハンドル３０の側面での設置の代わりに、ワイヤレスコントローラ４０をハンドル３０内に収納することで、自撮り装置の径方向の寸法を縮小でき、自撮り装置がよりすっきりし、使用及び携帯に便利になった。
【００２１】
本実施例において、上挟持部１１及び下挟持部１２のそれぞれに滑り止め用のソフトラバーパッドが設けられている。弾性引張り部１３は、ガイド棒とばねとを組み合わせて形成された構成であり、さらに、支持アーム等の構成を有する。
【００２２】
図４に示すように、ワイヤレスコントローラ４０は、ケースを備え、ケース内に電池４１、プリント基板４２及び磁石４３が設置されている。ケースには、さらに自撮りボタン４４が設置され、自撮りボタン４４と電池４１はそれぞれプリント基板４２と電気接続されている。無論、プリント基板４２には、ブルートゥースユニットを設置することも可能である。使用する場合、ブルートゥースユニットを携帯電話と接続し、自撮りボタン４４を使用することで、携帯電話の自撮りを実現する。
【００２３】
具体的に、ケースは、互いに対応する上ケース４５及び下ケース４６を備え、下ケース４６に、電池４１を収容するための第１溝４７が設けられている。そのうち、電池４１がボタン電池である。また、下ケース４６には、さらに磁石４３を収容するための第２溝４８が設けられている。該磁石４３は、ワイヤレスコントローラ４０をハンドル３０に吸着するためのものであるので、使用に便利である。無論、ワイヤレスコントローラ４０を手持ちで使用することも可能であるので、撮影の遠距離制御を実現できる。
【００２４】
図５に示すように、ワイヤレスコントローラ４０とハンドル３０とをより安定して組み合わせるため、ハンドルと接触するケースの面が円弧状に形成され、該円弧状の弧度がハンドル３０の外面の弧度と対応するように形成されている。図６に示すように、ワイヤレスコントローラ４０を使用する場合、ワイヤレスコントローラ４０がハンドル３０から現れるように、伸縮棒２０を伸ばして、上挟持部１１と下挟持部１２との間からワイヤレスコントローラ４０を取外す。そして磁石４３とハンドル３０内の磁石との吸着によって、ワイヤレスコントローラ４０のハンドル３０への吸着を実現する。使用する場合、通常の自撮り棒の使用と同じように、ハンドル３０を把持しながら自撮りボタン４４を押すことで、自撮りを実現する。なお、ハンドル３０全体が円柱状に形成されている。
【００２５】
本実施例において、下挟持部１２は、接続板１４を介して伸縮棒２０の頂端に取り付けられ、接続板１４の基端が、回転可能に伸縮棒２０の頂端に取り付けられ、弾性引張り部１３が、回転可能に接続板１４に取り付けられている（図３を参照）。具体的に、接続板１４は、第１軸１５を介して回転可能に伸縮棒２０の頂端に取り付けられ、弾性引張り部１３は、第２軸１６を介して回転可能に接続板１４に取り付けられ、第１軸１５と第２軸１６とは、互いに垂直になる。携帯電話が上挟持部１１と下挟持部１２との間に挟持されたとき、外力により弾性引張り部１３を第２軸１６の周りで回転させることによって、携帯電話の横表示と縦表示との切り替えを実現することができるので、使用に便利となった。また、挟持機構１０を第１軸１５及び第２軸１６の周りで回転させることによって、自撮りの角度を調節することができるようになり、自撮りの効果をより大きく向上させた。
【００２６】
その他の実施例において、挟持機構１０は、その他の公開された構造により構成されてもよい。
【００２７】
本実施例において、自撮り装置は、さらに支持を目的とした３つの支持脚５０を備え、３つの支持脚５０がいずれも回転可能にハンドル３０に取り付けられている。支持脚５０の収合によって、伸縮棒２０を収納するための収納スペースが形成される。
【００２８】
その他の実施例において、図７及び図８に示すように、自撮り装置は、ハンドル３０内に収納されハンドル３０の底面から伸出することが可能な３つの支持棒６１と、接続リング６２と、をさらに備えている。支持棒６１は、接続リング６２に回転可能に設置され、接続リング６２は、伸縮棒２０に外挿され、伸縮棒２０の軸方向に沿って摺動することができる。支持棒６１により自撮り装置を支持する場合、ハンドル３０の底面が支持棒６１に当接することによって、支持を実現する。
【００２９】
図８及び図９に示すように、ハンドル３０の底部に取付ブロック３２が設置され、取付ブロック３２にボタン３３が設けられ、ボタン３３に３つの係合ピン３４が設けられている。各支持棒６１の基端に、係合ピン３４と対応する係合溝６３が設けられている。支持棒６１がハンドル３０内に収納されたとき、係合ピン３４が係合溝６３と係合することによって、支持棒６１の位置決めを実現し、これによって支持棒６１の勝手な摺動を防ぐことができる。また、支持の安定性を保つために、各支持棒６１の基端に滑り止め用の滑り止めパッド６４が設置されている。
【００３０】
上記実施例は、本発明の技術案を説明するためのものに過ぎず、それを限定するものではないと理解すべきである。当業者にとって、上記実施例に記載された技術案を変更し、又はそのうちの一部の技術的特徴に対して均等置換を行うこともできる。これらの変更又は置換が、いずれも本発明の特許請求の範囲に属する。
【図１】
2020190707.tif 000003
【図２】
2020190707.tif 000004
【図３】
2020190707.tif 000005
【図４】
2020190707.tif 000006
【図５】
2020190707.tif 000007
【図６】
2020190707.tif 000008
【図７】
2020190707.tif 000009
【図８】
2020190707.tif 000010
【図９】
2020190707.tif 000011